(57)【要約】【課題】パッキンのねじれ、変形、損傷等の発生を防止し、携帯機の電池収納の密閉性を高める。【解決手段】電池蓋１１２の爪１５５を下ケース１３２の係止部１７２の挿入部１７２Ａに挿入すると、リブ１５６が規制部１７３の溝１７３Ｂに当接する。さらに、電池蓋１１２を押し込んだまま所定の方向に回転させると、リブ１５６が溝１７３Ｂ及び溝１７３Ｄに案内され、最終的に爪１５５が天井部１７２Ｅに引っ掛かり、電池蓋１１２の位置が固定される。リブ１５６が溝１７３Ｂに当接した状態で、電池蓋１１２とパッキン１１３の間に隙間が生じ、リブ１５６が溝１７３Ｄに当接した状態で、電池蓋１１２によりパッキン１１３に所定の圧力が加えられる。本発明は、例えば、車両用の携帯機に適用できる。【選択図】図１５
2014107131.tif 000002
【特許請求の範囲】
【請求項１】
電池を収納するための収納部を有する本体部と、
前記収納部を塞ぐための蓋と、
前記本体部と前記蓋の間に設けられているパッキンと
を備え、
前記蓋には、
複数の爪と、
複数の突起部と
が形成されており、
前記本体部には、
複数の前記爪をそれぞれ挿入し、前記蓋を前記収納部の方向に力を加えたまま所定の方向にスライドさせると、前記爪が引っ掛かり、前記蓋が固定される複数の係止部と、
複数の前記爪を前記係止部に挿入したとき、複数の前記突起部がそれぞれ当接し、前記蓋を前記所定の方向に第１の量だけスライドするまでの間、複数の前記突起部をそれぞれ案内する複数の第１の溝と、
複数の前記第１の溝に隣接してそれぞれ形成され、前記蓋を前記所定の方向に前記第１の量だけスライドさせた後、前記爪が前記係止部に引っ掛かるまでの間、複数の前記突起部をそれぞれ案内する複数の第２の溝と
が形成されており、
複数の前記突起部がそれぞれ複数の前記第１の溝に当接した状態で、前記蓋と前記パッキンの間に隙間が生じ、
複数の前記突起部がそれぞれ複数の前記第２の溝に当接した状態で、前記蓋により前記パッキンに所定の強さの圧力が加えられる
携帯機。
【請求項２】
隣接する前記第１の溝と前記第２の溝との間にそれぞれ第１の傾斜面が形成されており、
複数の前記突起部に、前記第１の傾斜面に対応する第２の傾斜面がそれぞれ形成されている
請求項１に記載の携帯機。
【請求項３】
複数の前記係止部の前記爪を引っ掛ける部分が２段階の階段状になっており、前記爪が挿入される部分に近い方の段が浅くなっている
請求項１又は２に記載の携帯機。
【請求項４】
複数の前記係止部の前記爪を引っ掛ける部分の２段階のステップの間にそれぞれ第３の傾斜面が形成されており、
複数の前記爪に、前記第３の傾斜面に対応する第４の傾斜面がそれぞれ形成されている
請求項３に記載の携帯機。
【請求項５】
複数の前記係止部の前記爪を引っ掛ける部分と前記爪が挿入される部分の間にそれぞれ第３の傾斜面が形成されており、
複数の前記爪に、前記第３の傾斜面に対応する第４の傾斜面がそれぞれ形成されている
請求項１又は２に記載の携帯機。
【請求項６】
前記本体部は、前記電池を交換するための円形の開口部を有し、
前記蓋は、円板状であり、
前記パッキンは、リング状であり、
複数の前記係止部、複数の前記第１の溝及び複数の前記第２の溝は、前記開口部の周囲に形成されている
請求項１乃至５のいずれかに記載の携帯機。
【請求項７】
内部に電池を収納し、前記電池を収納する収納部の電池を交換するための円形の開口部を有する本体部と、
前記開口部を塞ぐための円板状の蓋と、
前記本体部と前記蓋の間に設けられているリング状のパッキンと
を備え、
前記蓋の前記本体部と対向する面である裏面には、
複数の爪と、
複数の突起部と
が所定の円周上に形成されており、
前記本体部の前記開口部の周囲に、
複数の前記爪をそれぞれ挿入し、前記蓋を前記収納部の方向に力を加えたまま所定の方向に回転させると、前記爪が引っ掛かり、前記蓋が固定される複数の係止部と、
複数の前記爪を前記係止部に挿入したとき、複数の前記突起部がそれぞれ当接し、前記蓋の前記裏面を前記パッキンの上端より高い位置に保持し、前記蓋が前記所定の方向に第１の量だけ回転するまでの間、複数の前記突起部をそれぞれ案内する複数の第１の溝と、
複数の前記第１の溝に隣接してそれぞれ形成され、前記蓋を前記所定の方向に前記第１の量だけ回転させた後、前記爪が前記係止部に引っ掛かるまでの間、複数の前記突起部がそれぞれ当接し、前記蓋の裏面を圧し潰される前の前記パッキンの上端より低く前記パッキンの下端より高い位置に保持し、複数の前記突起部をそれぞれ案内する複数の第２の溝と
が形成されている
携帯機。
【発明の詳細な説明】
【技術分野】
【０００１】
本発明は、電池を収納する携帯機に関し、特に、電池収納の密閉性を高めるようにした携帯機に関する。
【背景技術】
【０００２】
従来、車両のドアの施開錠の遠隔操作等に用いる携帯機において、ボタン電池の収納部の密閉性を高めるために、電池蓋と携帯機の本体部との間にＯリング等のパッキンが設けられる場合がある（例えば、特許文献１、２参照）。
【０００３】
例えば、特許文献１に記載の携帯機では、円板状の電池蓋に形成されている複数の爪を、本体部に形成されている複数の係止部にそれぞれ挿入し、電池蓋を押し込んだまま所定の方向に回転し、各爪を各係止部に引っ掛けることにより、電池蓋が本体部に固定される。このとき、電池蓋と携帯機の本体部との間にパッキンが設けられ、電池収納の密閉性が高められる。
【０００４】
ここで、図１乃至図３を参照して、特許文献１に記載の携帯機において、電池蓋を閉めるときのパッキンの状態について簡単に説明する。図１乃至図３は、携帯機の本体部１の係止部１１近傍の断面を模式的に示している。
【０００５】
図１に示されるように、パッキン２が本体部１の上に設けられている。また、係止部１１には、電池蓋４の爪２１（図２）を挿入するための切り欠き状の挿入部１１Ａ、及び、爪２１を引っ掛けるための天井部１１Ｂが形成されている。
【０００６】
電池蓋４を閉める場合、まず、図２に示されるように、電池蓋４に形成されている突起状の爪２１が、係止部１１の挿入部１１Ａに挿入され、電池蓋４が、ボタン電池３が収納されている収納部の方向に押し込まれる。このとき、電池蓋４によりパッキン２が圧し潰された状態になる。なお、電池蓋４内の水平方向の点線は、電池蓋４を取り付ける前のパッキン２の上端の位置を示している。
【０００７】
次に、電池蓋４を押し込んだまま所定の方向に回転させる。これにより、図３に示されるように、爪２１が係止部１１の天井部１１Ｂに引っ掛かり、電池蓋４が本体部１に固定される。このとき、電池蓋４は、パッキン２を圧し潰したまま回転する。
【０００８】
ここで、電池蓋４が過剰に押し込まれたまま回転すると、パッキン２のねじれ、変形、損傷等が発生する恐れがある。また、電池蓋４を閉めた後に電池蓋４を押し込む方向に力が加えられると、さらにパッキン２が圧し潰され、電池蓋４のズレが生じたり、パッキン２のねじれ、変形、損傷等が発生したりする恐れがある。そして、これらの原因により、電池収納の密閉性が低下する恐れがある。
【先行技術文献】
【特許文献】
【０００９】
【特許文献１】特開２０１１−１５４８７３号公報
【特許文献２】特開２０１２−２８９２１号公報
【発明の概要】
【発明が解決しようとする課題】
【００１０】
本発明は、パッキンのねじれ、変形、損傷等の発生を防止し、携帯機の電池収納の密閉性を高めるようにするものである。
【課題を解決するための手段】
【００１１】
本発明の第１の側面の携帯機は、電池を収納するための収納部を有する本体部と、収納部を塞ぐための蓋と、本体部と蓋の間に設けられているパッキンとを備え、蓋には、複数の爪と、複数の突起部とが形成されており、本体部には、複数の爪をそれぞれ挿入し、蓋を収納部の方向に力を加えたまま所定の方向にスライドさせると、爪が引っ掛かり、蓋が固定される複数の係止部と、複数の爪を係止部に挿入したとき、複数の突起部がそれぞれ当接し、蓋を所定の方向に第１の量だけスライドするまでの間、複数の突起部をそれぞれ案内する複数の第１の溝と、複数の第１の溝に隣接してそれぞれ形成され、蓋を所定の方向に第１の量だけスライドさせた後、爪が係止部に引っ掛かるまでの間、複数の突起部をそれぞれ案内する複数の第２の溝がとが形成されており、複数の突起部がそれぞれ複数の第１の溝に当接した状態で、蓋とパッキンの間に隙間が生じ、複数の突起部がそれぞれ複数の第２の溝に当接した状態で、蓋によりパッキンに所定の強さの圧力が加えられる。
【００１２】
本発明の第１の側面の携帯機においては、蓋に形成されている複数の爪を係止部に挿入したとき、蓋に形成されている複数の突起部が複数の第１の溝にそれぞれ当接し、蓋を所定の方向に第１の量だけスライドするまでの間、複数の突起部が複数の第１の溝によりそれぞれ案内され、蓋を所定の方向に第１の量だけスライドさせた後、爪が係止部に引っ掛かるまでの間、複数の突起部が複数の第２の溝によりそれぞれ案内される。また、複数の突起部がそれぞれ複数の第１の溝に当接した状態で、蓋とパッキンの間に隙間が生じ、複数の突起部がそれぞれ複数の第２の溝に当接した状態で、蓋によりパッキンに所定の強さの圧力が加えられる。
【００１３】
従って、パッキンのねじれ、変形、損傷等の発生を防止し、携帯機の電池収納の密閉性を高めることができる。
【００１４】
隣接する第１の溝と第２の溝との間にそれぞれ第１の傾斜面を形成し、複数の突起部に、第１の傾斜面に対応する第２の傾斜面をそれぞれ形成することができる。
【００１５】
これにより、蓋の突起部を第１の溝から第２の溝にスムーズに案内することができる。
【００１６】
複数の係止部の爪を引っ掛ける部分を２段階の階段状にし、爪が挿入される部分に近い方の段を浅くすることができる。
【００１７】
これにより、蓋を所定の方向に第１の量だけスライドするまでの間（蓋の突起部が第１の溝に案内されているとき）に、係止部の爪を引っ掛ける部分と蓋の爪とが干渉し、蓋の動きが妨げられることが防止される。また、意図せずに蓋が本体部から外れることが防止される。
【００１８】
複数の係止部の爪を引っ掛ける部分の２段階のステップの間にそれぞれ第３の傾斜面を形成し、複数の爪に、第３の傾斜面に対応する第４の傾斜面をそれぞれ形成することができる。
【００１９】
これにより、蓋の突起部が第１の溝から第２の溝に案内されるときに、係止部の爪を引っ掛ける部分と蓋の爪とが干渉し、蓋の動きが妨げられることが防止される。
【００２０】
複数の係止部の爪を引っ掛ける部分と爪が挿入される部分の間にそれぞれ第３の傾斜面を形成し、複数の爪に、第３の傾斜面に対応する第４の傾斜面がそれぞれ形成することができる。
【００２１】
これにより、蓋を所定の方向に第１の量だけスライドするまでの間（蓋の突起部が第１の溝に案内されているとき）に、係止部の爪を引っ掛ける部分と蓋の爪とが干渉し、蓋の動きが妨げられることが防止される。
【００２２】
本体部に、前記電池を交換するための円形の開口部を設け、蓋を、円板状とし、パッキンを、リング状とし、複数の係止部、複数の第１の溝及び複数の第２の溝を、開口部の周囲に形成することができる。
【００２３】
これにより、円板状の蓋を回転して閉めるときに、パッキンのねじれ、変形、損傷等の発生を防止し、携帯機の電池収納の密閉性を高めることができる。
【００２４】
本発明の第２の側面の携帯機は、内部に電池を収納し、電池を収納する収納部の電池を交換するための円形の開口部を有する本体部と、開口部を塞ぐための円板状の蓋と、本体部と蓋の間に設けられているリング状のパッキンとを備え、蓋の本体部と対向する面である裏面には、複数の爪と、複数の突起部とが所定の円周上に形成されており、本体部の開口部の周囲に、複数の爪をそれぞれ挿入し、蓋を収納部の方向に力を加えたまま所定の方向に回転させると、爪が引っ掛かり、蓋が固定される複数の係止部と、複数の爪を係止部に挿入したとき、複数の突起部がそれぞれ当接し、蓋の裏面をパッキンの上端より高い位置に保持し、蓋が所定の方向に第１の量だけ回転するまでの間、複数の突起部をそれぞれ案内する複数の第１の溝と、複数の第１の溝に隣接してそれぞれ形成され、蓋を所定の方向に第１の量だけ回転させた後、爪が係止部に引っ掛かるまでの間、複数の突起部がそれぞれ当接し、蓋の裏面を圧し潰される前のパッキンの上端より低くパッキンの下端より高い位置に保持し、複数の突起部をそれぞれ案内する複数の第２の溝とが形成されている。
【００２５】
本発明の第１の側面の携帯機においては、蓋に形成されている複数の爪を係止部に挿入したとき、蓋に形成されている複数の突起部が複数の第１の溝にそれぞれ当接し、蓋の裏面がパッキンの上端より高い位置に保持され、蓋が所定の方向に第１の量だけ回転するまでの間、複数の突起部が第１の溝によりそれぞれ案内され、蓋を所定の方向に第１の量だけ回転させた後、爪が係止部に引っ掛かるまでの間、複数の突起部が複数の第２の溝にそれぞれ当接し、蓋の裏面が圧し潰される前のパッキンの上端より低くパッキンの下端より高い位置に保持され、複数の突起部が第２の溝によりそれぞれ案内される。
【００２６】
従って、パッキンのねじれ、変形、損傷等の発生を防止し、携帯機の電池収納の密閉性を高めることができる。
【発明の効果】
【００２７】
本発明の第１の側面又は第２の側面によれば、パッキンのねじれ、変形、損傷等の発生を防止し、携帯機の電池収納の密閉性を高めることができる。
【図面の簡単な説明】
【００２８】
【図１】従来の携帯機において、電池蓋を閉めるときのパッキンの状態を説明するための図である。
【図２】従来の携帯機において、電池蓋を閉めるときのパッキンの状態を説明するための図である。
【図３】従来の携帯機において、電池蓋を閉めるときのパッキンの状態を説明するための図である。
【図４】本発明を適用した携帯機の上面から見た斜視図である。
【図５】本発明を適用した携帯機の下面から見た斜視図である。
【図６】本発明を適用した携帯機の上面から見た分解図である。
【図７】本発明を適用した携帯機の下面から見た分解図である。
【図８】電池蓋の斜視図である。
【図９】電池蓋をウラから見た平面図である。
【図１０】電池蓋の爪の形状を示す図である。
【図１１】電池蓋のリブの形状を示す図である。
【図１２】下ケースの収納部近傍の斜視図である。
【図１３】下ケースの係止部及び規制部付近の断面の形状を示す模式図である。
【図１４】電池蓋の装着方法を説明するための図である。
【図１５】電池蓋の装着方法を説明するための図である。
【図１６】電池蓋の装着方法を説明するための図である。
【図１７】電池蓋の装着方法を説明するための図である。
【図１８】電池蓋の装着方法を説明するための図である。
【図１９】下ケースの係止部の変形例を模式的に示す断面図である。
【発明を実施するための形態】
【００２９】
以下、本発明を実施するための形態（以下、実施の形態という）について説明する。なお、説明は以下の順序で行う。
１．実施の形態
２．変形例
【００３０】
＜１．実施の形態＞
［携帯機の構成例］
図４乃至図７は、本発明を適用した携帯機１０１の一実施の形態を示している。図４は、携帯機１０１の斜視図であり、図５は、図４とは反対側から見た場合の携帯機１０１の斜視図である。図６は、図４と同じ方向から携帯機１０１を見た場合の分解図であり、図７は、図５と同じ方向から見た場合の分解図である。
【００３１】
なお、以下、携帯機１０１の面のうち、ボタン１２２ａ乃至１２２ｃが設けられており、操作が行われる面を上面と称し、上面と反対側の面であって、電池蓋１１２が設けられている面を下面と称する。また、以下、携帯機１０１の取っ手１２１Ａが形成されている方を前側とし、その反対側を後ろ側とする。さらに、以下、図４において、携帯機１０１の長手方向の側面が見えている側を左側とし、図５において、携帯機１０１の長手方向の側面が見えている側を右側とする。
【００３２】
携帯機１０１は、例えば、車両（不図示）のドアの施開錠の遠隔操作等に用いられる車両用の携帯機である。携帯機１０１は、本体部１１１、電池蓋１１２及びパッキン１１３により構成される。また、携帯機１０１は、ボタン型の電池１０２を収納し、電池１０２により駆動される。
【００３３】
本体部１１１は、筐体１２１、ボタン１２２ａ乃至１２２ｃ、防水ラバー１２３及び基板１２４により構成される。筐体１２１は、上ケース１３１及び下ケース１３２により構成される。筐体１２１の前側の端部には、取っ手１２１Ａが形成されている。また、上ケース１３１に近い方から、ボタン１２２ａ乃至１２２ｃ、防水ラバー１２３、基板１２４の順に各部品が積層されて筐体１２１内に収納される。
【００３４】
上ケース１３１には、ボタン１２２ａ乃至１２２ｃを挿入し、外部に露出させるための孔１３１Ａ乃至１３１Ｃが形成されている。
【００３５】
下ケース１３２には、電池１０２を収納するための収納部１３２Ａが形成されている。
【００３６】
ボタン１２２ａ乃至１２２ｃは、防水ラバー１２３の所定の位置に配置されるとともに、上ケース１３１の孔１３１Ａ乃至１３１Ｃに挿入される。
【００３７】
防水ラバー１２３は、基板１２４の一方の面を覆うように基板１２４に取り付けられるとともに、上ケース１３１と下ケース１３２に固定される。防水ラバー１２３は、主に上ケース１３１と下ケース１３２との間からの基板１２４への水分の浸入を防止する。
【００３８】
基板１２４は、防水ラバー１２３を介して上ケース１３１に固定される。もしくは、基板１２４は、下ケース１３２に固定される。基板１２４は、各種の電子部品が実装されており、通信機能等の各種の機能を実現する。
【００３９】
電池蓋１１２は、収納部１３２Ａを塞ぐように、下ケース１３２に取り付けられる。なお、電池蓋１１２の詳細及び取り付け方法については後述する。
【００４０】
パッキン１１３は、例えば、Ｏリングにより構成される。パッキン１１３は、下ケース１３２（本体部１１１）と電池蓋１１２の間に設けられ、下ケース１３２と電池蓋１１２との間の隙間を塞ぎ、電池収納の密閉性を高める働きをする。
【００４１】
［電池蓋１１２の構成例］
図８及び図９は、電池蓋１１２の構成例を示している。図８は、電池蓋１１２を斜め上方向から見た斜視図である。図９は、電池蓋１１２をウラから見た平面図である。
【００４２】
電池蓋１１２の円板状の蓋部１５１は、収納部１３２Ａの電池１０２を交換するための下ケース１３２の円形の開口部を塞ぐ役割を果たす。蓋部１５１の表面には、球状の窪み１５２が形成されており、さらに、窪み１５２の直径方向に、円弧状の溝１５３が形成されている。この溝１５３に、コイン等の円板状の物体を挿入し、所定の方向に回転させることにより、電池蓋１１２の開閉を容易に行うことができる。
【００４３】
蓋部１５１の裏面（本体部１１１と対向する面）には、蓋部１５１より面積が小さい、薄い円錐台形の取付部１５４が形成されている。取付部１５４は、電池蓋１１２を下ケース１３２に取り付けるための部分であり、突起状の爪１５５ａ乃至１５５ｃ、及び、突起状のリブ１５６ａ乃至１５６ｃが側面に形成されている。従って、爪１５５ａ乃至１５５及びリブ１５６ａ乃至１５６ｃは、蓋部１５１の裏面の中心を中心とする所定の円周上に並んでいる。
【００４４】
爪１５５ａ乃至１５５ｃは、取付部１５４の側面にほぼ等間隔に配置されている。また、リブ１５６ａは、爪１５５ｃと爪１５５ａの間に配置され、リブ１５６ｂは、爪１５５ａと爪１５５ｂの間に配置され、リブ１５６ｃは、爪１５５ｂと爪１５５ｃの間に配置されている。
【００４５】
なお、以下、爪１５５ａ乃至１５５ｃを個々に区別する必要がない場合、単に爪１５５と称する。また、以下、リブ１５６ａ乃至１５６ｃを個々に区別する必要がない場合、単にリブ１５６と称する。
【００４６】
図１０は、電池蓋１１２の爪１５５の形状を示している。爪１５５は、横長の板状の部材の左上隅と右下隅を斜めに切り落とした形状を有している。従って、爪１５５の側面の左上隅には、傾斜面１５５Ａが形成され、右下隅には、傾斜面１５５Ｂが形成されている。
【００４７】
図１１は、電池蓋１１２のリブ１５６の形状を示している。リブ１５６は、縦長の板状の部材の右下隅を斜めに切り落とした形状を有している。従って、リブ１５６の側面の左下隅には、傾斜面１５６Ａが形成されている。
【００４８】
［下ケース１３２の電池蓋１１２の装着部の構成例］
次に、図１２及び図１３を参照して、下ケース１３２の電池蓋１１２を装着する部分（装着部）の構成例について説明する。
【００４９】
図１２は、下ケース１３２の収納部１３２Ａ近傍の斜視図である。
【００５０】
また、図１３には、１組の係止部１７２と規制部１７３のみを平面的に図示している。しかし、係止部１７２ａと規制部１７３ａ、係止部１７２ｂと規制部１７３ｂ、及び、係止部１７２ｃと規制部１７３ｃの各組とも、両者間の間隔が異なるのを除いて、基本的に図１２と図１３と同様の構成を有している。
【００５１】
下ケース１３２の円形の開口部の周囲を囲む外周部１７１には、係止部１７２ａ乃至１７２ｃ及び規制部１７３ａ乃至１７３ｃが形成されている。係止部１７２ａ乃至１７２ｃは、電池蓋１１２の爪１５５ａ乃至１５５ｃをそれぞれ挿入し、引っ掛けることにより、電池蓋１１２を下ケース１３２に固定する部分である。規制部１７３ａ乃至１７３ｃは、電池蓋１１２のリブ１５６ａ乃至１５６ｃがそれぞれ当接することにより、電池蓋１１２を収納部１３２Ａの方向に押し込む力を規制する部分である。
【００５２】
なお、以下、係止部１７２ａ乃至１７２ｃを個々に区別する必要がない場合、単に係止部１７２と称する。また、以下、規制部１７３ａ乃至１７３ｃを個々に区別する必要がない場合、単に規制部１７３と称する。
【００５３】
また、外周部１７１の周囲には、パッキン１１３を設置するための溝１７４が形成されている。さらに、収納部１３２Ａの内部の下方には、電池１０２の上下方向又は横方向の位置を固定するための位置決め部１７５乃至１７８が形成されている。
【００５４】
図１３は、下ケース１３２を外側から真横に見た場合の、係止部１７２及び規制部１７３付近の断面の形状を示す模式図である。
【００５５】
係止部１７２には、電池蓋１１２の爪１５５を挿入するための切り欠き状の挿入部１７２Ａが形成されている。また、挿入部１７２Ａの右側には、挿入部１７２Ａの内側に向かう方向（右から左）に傾斜する傾斜面１７２Ｂが形成されている。
【００５６】
挿入部１７２Ａの左側には、電池蓋１１２の爪１５５を引っ掛ける部分として、高さが異なる２段階階段状の天井部１７２Ｃ及び天井部１７２Ｅが形成されている。２つの天井部を比較すると、挿入部１７２Ａに近い方の天井部１７２Ｃが高く、挿入部１７２Ａから遠い方の天井部１７２Ｅが低い位置にある。換言すれば、外周部１７１の上面１７１Ａから見て、天井部１７２Ｃ（挿入部１７２Ａに近い方の段）の方が浅く、天井部１７２Ｅ（挿入部１７２Ａから遠い方の段）の方が深くなっている。また、天井部１７２Ｃと天井部１７２Ｅの間には、天井部１７２Ｃと天井部１７２Ｅを滑らかに接続する傾斜面１７２Ｄが形成されている。さらに、天井部１７２Ｅの左端には、天井部１７２Ｅから下方向に延びる壁１７２Ｆが形成されている。
【００５７】
なお、電池蓋１１２の爪１５５ａ乃至１５５ｃの傾斜面１５５Ｂは、それぞれ係止部１７２ａ乃至１７２ｃの傾斜面１７２Ｂに対応するように形成されている。すなわち、電池蓋１１２の爪１５５ａ乃至１５５ｃの傾斜面１５５Ｂは、それぞれ係止部１７２ａ乃至１７２ｃの傾斜面１７２Ｂと同じ角度になるように形成されている。また、電池蓋１１２の爪１５５ａ乃至１５５ｃの傾斜面１５５Ａは、それぞれ係止部１７２ａ乃至１７２ｃの傾斜面１７２Ｄに対応するように形成されている。すなわち、電池蓋１１２の爪１５５ａ乃至１５５ｃの傾斜面１５５Ａは、それぞれ係止部１７２ａ乃至１７２ｃの傾斜面１７２Ｄと同じ角度になるように形成されている。
【００５８】
規制部１７３には、深さが異なる２段階の階段状の溝１７３Ｂ及び溝１７３Ｄが、左右に並ぶように形成されている。２つの溝を比較すると、溝１７３Ｂの方が浅く、溝１７３Ｄの方が深い位置にある。また、外周部１７１の上面１７１Ａと溝１７３Ｂの間には、上面１７１Ａと溝１７３Ｂを滑らかに接続する傾斜面１７３Ａが形成されている。さらに、溝１７３Ｂと溝１７３Ｄの間には、溝１７３Ｂと溝１７３Ｄを滑らかに接続する傾斜面１７３Ｃが形成されている。
【００５９】
なお、電池蓋１１２のリブ１５６ａ乃至１５６ｃの傾斜面１５６Ａは、それぞれ規制部１７３ａ乃至１７３ｃの傾斜面１７３Ｃに対応するように形成されている。すなわち、電池蓋１１２のリブ１５６ａ乃至１５６ｃの傾斜面１５６Ａは、それぞれ規制部１７３ａ乃至１７３ｃの傾斜面１７３Ｃと同じ角度になるように形成されている。
【００６０】
［電池蓋１１２の装着方法］
次に、図１４乃至図１８を参照して、電池蓋１１２の装着方法について説明する。図１４は、電池蓋１１２を下ケース１３２（本体部１１１）に装着する前の状態を示している。図１５乃至図１８は、電池蓋１１２を下ケース１３２に取り付けてから電池蓋１１２を閉めるまでの、電池蓋１１２、パッキン１１３、係止部１７２及び規制部１７３の状態を、図１３と同様の図により模式的に示している。
【００６１】
また、図１５乃至図１８には、１組の爪１５５、リブ１５６、係止部１７２及び規制部１７３のみを平面的に図示している。しかし、爪１５５ａ、リブ１５６ａ、係止部１７２ａ及び規制部１７３ａ、爪１５５ｂ、リブ１５６ｂ、係止部１７２ｂ及び規制部１７３ｂ、並びに、爪１５５ｃ、リブ１５６ｃ、係止部１７２ｃ及び規制部１７３ｃの各組とも、図１４乃至図１８で同様の動きをする。
【００６２】
ユーザは、電池蓋１１２を下ケース１３２に装着する場合、まず、取付部１５４を下にして下ケース１３２の開口部を覆うように電池蓋１１２を下ケース１３２に取り付ける。そして、ユーザは、図１４の矢印Ａ１の方向（以下、押し込み方向と称する）に力を加えたまま、矢印Ａ２の方向（以下、閉方向と称する）に電池蓋１１２を回転させて、電池蓋１１２を下ケース１３２に固定する。
【００６３】
ここで、電池蓋１１２を下ケース１３２に取り付けるとき、電池蓋１１２の各爪１５５が下ケース１３２の各係止部１７２の挿入部１７２Ａに挿入されるように位置合わせされる。そうすると、電池蓋１１２の各リブ１５６の先端が、下ケース１３２の各規制部１７３の傾斜面１７３Ａに当接する。さらに、各リブ１５６の先端が、各規制部１７３の傾斜面１７３Ａ上を滑り、図１５に示されるように、各規制部１７３の溝１７３Ｂに当接する。そして、電池蓋１１２をこれ以上押し込めなくなる。
【００６４】
ここで、図１５に示されるように、各リブ１５６が各規制部１７３の溝１７３Ｂに当接した状態において、電池蓋１１２の蓋部１５１の裏面がパッキン１１３の上端より高い位置に保持されるように、リブ１５６の高さと溝１７３Ｂの深さが調整されている。従って、電池蓋１１２の蓋部１５１がパッキン１１３に接触せずに、両者の間に隙間が生じる。
【００６５】
また、このとき、各爪１５５の傾斜面１５５Ｂの角度が、各係止部１７２の傾斜面１７２Ｂの角度と同じなので、各爪１５５と各係止部１７２の傾斜面１７２Ｂが干渉し、電池蓋１１２の動きが妨げられることが防止される。
【００６６】
次に、電池蓋１１２を押し込んだまま閉方向に回転させると（電池蓋１１２を押し込んだまま回転方向にスライドさせると）、各リブ１５６が各規制部１７３の溝１７３Ｂに案内される。すなわち、各リブ１５６の先端が、各規制部１７３の溝１７３Ｂに接したまま、溝１７３Ｂに沿ってスライドする。
【００６７】
このとき、電池蓋１１２が押し込み方向に動かないため、電池蓋１１２の蓋部１５１とパッキン１１３の間の隙間を確保したまま、パッキン１１３を圧し潰すことなく電池蓋１１２を回転させることができる。
【００６８】
また、各リブ１５６が各規制部１７３の溝１７３Ｂに当接しているとき、各爪１５５の上端が、各係止部１７２の天井部１７２Ｃに接触しないように、天井部１７２Ｃの高さが調整されている。従って、各爪１５５と各係止部１７２の天井部１７２Ｃが干渉し、電池蓋１１２の動きが妨げられることが防止される。
【００６９】
次に、電池蓋１１２が閉方向に所定の量以上回転し、各リブ１５６の先端が各規制部１７３の溝１７３Ｂを超えると、図１６に示されるように、各リブ１５６の傾斜面１５６Ａが、各規制部１７３の傾斜面１７３Ｃに当接し、傾斜面１７３Ｃ上を滑る。
【００７０】
このとき、各爪１５５の傾斜面１５５Ａの角度が、各係止部１７２の傾斜面１７２Ｄの角度と同じなので、各爪１５５と各係止部１７２の傾斜面１７２Ｄが干渉し、電池蓋１１２の動きが妨げられることが防止される。
【００７１】
そして、各リブ１５６の傾斜面１５６Ａが各規制部１７３の傾斜面１７３Ｃを滑り終えると、図１７に示されるように、各リブ１５６の先端が、各規制部１７３の溝１７３Ｄに当接する。すなわち、各リブ１５６の傾斜面１５６Ａと各規制部１７３の傾斜面１７３Ｃにより、各リブ１５６が溝１７３Ｂから溝１７３Ｄにスムーズに案内される。そして、電池蓋１１２をこれ以上押し込めなくなる。
【００７２】
ここで、図１７の電池蓋１１２の蓋部１５１内の水平方向の点線は、電池蓋１１２により圧し潰される前のパッキン１１３の上端の位置を示している。すなわち、各リブ１５６が各規制部１７３の溝１７３Ｄに当接した状態において、電池蓋１１２の蓋部１５１の裏面が、圧し潰される前のパッキン１１３の上端より低く、パッキン１１３の下端より高い位置に保持されるように、リブ１５６の高さと溝１７３Ｄの深さが調整されている。従って、電池蓋１１２の蓋部１５１の裏面が、パッキン１１３を所定の量だけ圧し潰す位置に保持され、パッキン１１３が所定の強さで電池蓋１１２により圧し潰される。その結果、所定の強さを超える圧力がパッキン１１３に加えられることが防止される。
【００７３】
さらに、電池蓋１１２を押し込んだまま閉方向に回転させると（電池蓋１１２を押し込んだまま回転方向にスライドさせると）、各リブ１５６が、各規制部１７３の溝１７３Ｄに案内される。すなわち、各リブ１５６の先端が、各規制部１７３の溝１７３Ｄに接したまま、溝１７３Ｄに沿ってスライドする。
【００７４】
このとき、電池蓋１１２が押し込み方向に動かないため、所定の強さを超える圧力をパッキン１１３に加えることなく、電池蓋１１２を回転させることができる。従って、パッキン１１３のねじれ、変形、損傷等の発生を防止することができる。
【００７５】
また、各リブ１５６が各規制部１７３の溝１７３Ｄに当接した状態で、各爪１５５の傾斜面１５５Ａの上端と、各係止部１７２の傾斜面１７２Ｄの下端が干渉しないように、天井部１７２Ｅの高さが調整されている。従って、各爪１５５の傾斜面１５５Ａと各係止部１７２の傾斜面１７２Ｄが干渉し、電池蓋１１２の動きが妨げられることが防止される。
【００７６】
そして、図１８に示されるように、各爪１５５が、各係止部１７２の壁１７２Ｆに当接するまで、電池蓋１１２が閉方向に回転される。
【００７７】
その後、電池蓋１１２に力を加えるのを止めると、パッキン１１３の反発力により、矢印Ａ１と逆方向（押し込み方向と逆方向）の力が、電池蓋１１２に加えられる。そして、電池蓋１１２の各爪１５５が、各係止部１７２の天井部１７２Ｅに引っ掛かり、電池蓋１１２の位置が固定される。
【００７８】
このように、電池蓋１１２の各リブ１５６と、下ケース１３２の各規制部１７３の溝１７３Ｂ及び溝１７３Ｄの働きにより、図１乃至図３を参照して上述した場合と比較して、パッキン１１３を圧し潰しながら電池蓋１１２を回転させる量を減らすことができる。また、電池蓋１１２の各リブ１５６と、下ケース１３２の各規制部１７３の溝１７３Ｄの働きにより、パッキン１１３にかかる圧力を所定の強さ以下に規制することができる。すなわち、図１乃至図３を参照して上述した場合のように、電池蓋１１２を閉めるときに、電池蓋１１２が必要以上に押し込まれ、パッキン１１３が必要以上に圧し潰されることが防止される。その結果、パッキン１１３のねじれ、変形、損傷等の発生が防止され、電池収納の密閉性を向上させることができる。
【００７９】
また、電池蓋１１２の各リブ１５６と、下ケース１３２の各規制部１７３の溝１７３Ｄの働きにより、電池蓋１１２の装着後に電池蓋１１２に押し込み方向の力が加わっても、パッキン１１３に所定の強さを超える圧力がかからない。すなわち、図１乃至図３を参照して上述した場合のように、電池蓋１１２の装着後に電池蓋１１２が必要以上に押し込まれ、パッキン１１３が必要以上に圧し潰されることが防止される。その結果、パッキン１１３が過度に圧し潰されて、電池蓋４のズレ、及び、パッキン２のねじれ、変形、損傷等の発生することが防止され、電池収納の密閉性を向上させることができる。
【００８０】
さらに、電池蓋１１２を閉方向と逆方向に回転させて下ケース１３２から取り外す場合、その途中で、電池蓋１１２の各リブ１５６が、下ケース１３２の各規制部１７３の溝１７３Ｂに乗り上げる。これにより、電池蓋１１２の蓋部１５１が、下ケース１３２の表面より少し上に浮き上がる。その結果、ユーザが蓋部１５１に指を引っ掛けやすくなり、下ケース１３２から電池蓋１１２を取り外すのが容易になる。
【００８１】
また、例えば、下ケース１３２の各規制部１７３の電池蓋１１２の爪１５５を引っ掛ける部分が２段階の階段状になっているため、意図せずに電池蓋１１２が下ケース１３２から外れてしまうことが防止される。すなわち、電池蓋１１２の各爪１５５と各規制部１７３の天井部１７２Ｅとの間の嵌合が外れたとしても、各爪１５５が各規制部１７３の天井部１７２Ｃに引っ掛かることにより、電池蓋１１２が下ケース１３２から外れてしまうことが防止される。
【００８２】
＜２．変形例＞
以下、上述した本発明の実施の形態の変形例について説明する。
【００８３】
図１９は、下ケース１３２の係止部１７２の変形例を示している。
【００８４】
図１９の係止部１７２’は、図１３の係止部１７２と比較して、天井部１７２Ｃ及び傾斜面１７２Ｄの代わりに、傾斜面１７２Ｇが形成されている点が異なる。
【００８５】
傾斜面１７２Ｇは、挿入部１７２Ａと天井部１７２Ｅの間に、外周部１７１の上面１７１Ａと天井部１７２Ｅの一端を接続するように形成されている。
【００８６】
なお、図示は省略するが、電池蓋１１２の各爪１５５の傾斜面１５５Ａが、各係止部１７２’の傾斜面１７２Ｇに対応するように形成される。すなわち、各爪１５５の傾斜面１５５Ａが、各係止部１７２’の傾斜面１７２Ｇと同じ角度になるように形成される。これにより、各爪１５５と各係止部１７２’の傾斜面１７２Ｇが干渉し、電池蓋１１２の動きが妨げられることが防止される。
【００８７】
また、電池蓋１１２によりパッキン１１３にかかる圧力を規制するのみであれば、係止部１７２の天井部１７２Ｃ、及び、規制部１７３の溝１７３Ｂを省略することも可能である。すなわち、電池蓋１１２のリブ１５６と規制部１７３の溝１７３Ｂにより、電池蓋１１２をパッキン１１３に接触させずに回転する過程を省略することも可能である。
【００８８】
さらに、電池蓋１１２の爪１５５とリブ１５６、及び、下ケース１３２の係止部１７２と規制部１７３の数は、上述した例に限定されるものではなく、２以上の任意の数に設定することができる。また、爪１５５とリブ１５６の数、及び、係止部１７２と規制部１７３の数は必ずしも一致させる必要はない。
【００８９】
また、本発明は、電池蓋以外の蓋にも適用することが可能である。電池蓋の形状も、上述した円板状で円周方向に回転させて開閉する蓋に限定されるものではない。例えば、本発明は、蓋と本体部の間にパッキンを設けて密閉性を高めるとともに、蓋を平行にスライドさせて、蓋に設けられている爪を本体部の係止部に引っ掛ける形態の蓋にも適用することができる。
【００９０】
さらに、本発明は、車両用の携帯機以外の機器の蓋にも適用することができる。
【００９１】
また、以上では、Ｏリングをパッキンに用いる例を示したが、Ｘリング、Ｄリング等、他の種類のパッキンを用いる場合にも本発明を適用することができる。
【００９２】
さらに、本技術の実施の形態は、上述した実施の形態に限定されるものではなく、本技術の要旨を逸脱しない範囲において種々の変更が可能である。
【符号の説明】
【００９３】
１０１  携帯機
１０２  電池
１１１  本体部
１１２  パッキン
１１３  電池蓋
１２１  筐体
１３１  上ケース
１３２  下ケース
１３２Ａ  収納部
１５１  蓋部
１５４  取付部
１５５ａ乃至１５５ｃ  爪
１５５Ａ,１５５Ｂ  傾斜面
１５６ａ乃至１５６ｃ  リブ
１５６Ａ  傾斜面
１７１  外周部
１７２ａ乃至１７２ｃ,１７２’  係止部
１７２Ａ  挿入部
１７２Ｂ  傾斜面
１７２Ｃ  天井部
１７２Ｄ  傾斜面
１７２Ｅ  天井部
１７２Ｆ  壁
１７２Ｇ  傾斜面
１７３ａ乃至１７３ｃ  規制部
１７３Ａ  傾斜面
１７３Ｂ  溝
１７３Ｃ  傾斜面
１７３Ｄ  溝
【図１】
2014107131.tif 000003
【図２】
2014107131.tif 000004
【図３】
2014107131.tif 000005
【図４】
2014107131.tif 000006
【図５】
2014107131.tif 000007
【図６】
2014107131.tif 000008
【図７】
2014107131.tif 000009
【図８】
2014107131.tif 000010
【図９】
2014107131.tif 000011
【図１０】
2014107131.tif 000012
【図１１】
2014107131.tif 000013
【図１２】
2014107131.tif 000014
【図１３】
2014107131.tif 000015
【図１４】
2014107131.tif 000016
【図１５】
2014107131.tif 000017
【図１６】
2014107131.tif 000018
【図１７】
2014107131.tif 000019
【図１８】
2014107131.tif 000020
【図１９】
2014107131.tif 000021